(57)【要約】【課題】人手を介さずに、好適に設備の運転を制御する。【解決手段】設備制御装置１０は、ネットワークＮを介して、オフィスエリア内に配置された複数の空調機２、および、複数のセンサ３や電力計測センサ４等のセンサ群と、通信可能に接続される。状況取得部１０４は、定期的に、空調機２に関する情報やセンサ３や電力計測センサ４等のセンサ群の計測結果を現在時刻と対応付けて状況記憶部１０５に記憶する。そして、制御ルール調整部１１０は、状況記憶部１０５に記憶されている現在状況と目標記憶部１０８に記憶されている目標状況とを比較して、目標達成可能になるように制御ルール記憶部１０７に記憶されている運転ルールを調整する。そして、その後、通常運転処理により、調整された制御ルールに基づいて作成された制御信号が空調機２に送信され、空調機２は好適に制御される。【選択図】図２
2011247514.tif 000002
【特許請求の範囲】
【請求項１】
ネットワークを介して、所定エリアに設置されている設備及び前記所定エリア内の環境を測定するセンサと通信可能に接続される設備制御装置であって、
前記設備を制御するための制御ルールを記憶する制御ルール記憶手段と、
前記制御ルール記憶手段に記憶されている制御ルールに基づいて、前記ネットワークを介して前記設備を制御する制御手段と、
前記ネットワークを介して、前記設備の状態を示す情報と前記センサが出力した情報とを取得する状況取得手段と、
前記状況取得手段が取得した情報と現在日時情報とを対応付けて蓄積記憶する状況記憶手段と、
前記所定エリア内の目標となる環境を示す目標環境情報を記憶する目標記憶手段と、
前記状況記憶手段に蓄積記憶されている情報から前記設備が前記所定エリア内の環境に与える影響を分析し、分析結果に基づいて、前記所定エリア内の環境が前記目標記憶手段に記憶されている目標環境情報が示す目標環境に近づくように、前記制御ルール記憶手段に記憶されている制御ルールを調整する制御ルール調整手段と、
を備えることを特徴とする設備制御装置。
【請求項２】
前記設備は空調機であり、
前記状況記憶手段は、前記空調機の運転状態を示す情報と前記センサが出力した前記所定エリア内の温度を示す情報とを現在日時情報と対応付けて蓄積記憶し、
前記目標記憶手段は、前記所定エリア内の理想的な温度変化を示す情報を目標環境情報として記憶しており、
前記制御ルール調整手段は、前記状況記憶手段に蓄積記憶されている情報から前記空調機を運転させた場合の前記所定エリア内の温度の時間変化を分析し、分析結果に基づいて、前記所定エリア内の温度変化が前記目標記憶手段に記憶されている目標環境情報が示す理想的な温度変化に近づくように前記空調機の運転スケジュールを調整する、
ことを特徴とする請求項１に記載の設備制御装置。
【請求項３】
前記設備は複数の空調機であり、
前記状況記憶手段は、前記各空調機の運転状態を示す情報と前記センサが出力した前記所定エリア内外の温度を示す情報と各空調機で消費される電力の値を示す情報とを現在日時情報と対応付けて蓄積記憶し、
前記目標記憶手段は、前記各空調機で消費される電力総量の目標を示す情報を目標環境情報として記憶しており、
前記制御ルール調整手段は、前記状況記憶手段に蓄積記憶されている情報から前記空調機それぞれの消費電力と運転効率との関係を分析し、分析結果に基づいて、前記各空調機で消費される電力の総量が目標記憶手段に記憶されている目標環境情報が示す目標に近づくように前記各空調機の出力を調整する、
ことを特徴とする請求項１に記載の設備制御装置。
【請求項４】
ネットワークを介して、所定エリアに設置されている設備及び前記所定エリア内の環境を測定するセンサと通信可能に接続されるコンピュータを、
前記設備を制御するための制御ルールを記憶する制御ルール記憶手段、
前記制御ルール記憶手段に記憶されている制御ルールに基づいて、前記ネットワークを介して前記設備を制御する制御手段、
前記ネットワークを介して、前記設備の状態を示す情報と前記センサが出力した情報とを取得する状況取得手段、
前記状況取得手段が取得した情報と現在日時情報とを対応付けて蓄積記憶する状況記憶手段、
前記所定エリア内の目標となる環境を示す目標環境情報を記憶する目標記憶手段、
前記状況記憶手段に蓄積記憶されている情報から前記設備が前記所定エリア内の環境に与える影響を分析し、分析結果に基づいて、前記所定エリア内の環境が前記目標記憶手段に記憶されている目標環境情報が示す目標環境に近づくように、前記制御ルール記憶手段に記憶されている制御ルールを調整する制御ルール調整手段、
として機能させることを特徴とするプログラム。
【発明の詳細な説明】
【技術分野】
【０００１】
本発明は、ネットワークを介して接続されている空調機などの設備を制御する設備制御装置、及び、プログラムに関する。
【背景技術】
【０００２】
店舗やオフィスビルなどの建物内において、１乃至複数の空調機をイーサネット（登録商標）などのネットワークを介して制御装置に通信接続した、空気調和システムが提案されている（例えば、特許文献１参照）。このようなシステムでは、内蔵メモリに格納されている固定の制御プログラムを実行することで空調機を制御する。
【０００３】
一方、空調機の多様な設置環境に個別具体的に対応するために、制御プログラムを作業者（主として建物の管理者や現地サービスエンジニアを意味する）が新たに定義できるようにした制御装置も提案されている（例えば、特許文献２参照）。
【０００４】
さらに、作業者が新たに定義した制御プログラムの制御内容を、居住者（主として建物の従業員や利用者を意味する）が、自らの好みや、日々の環境条件の変化に合わせて調整することができるシステムも提案されている。
【先行技術文献】
【特許文献】
【０００５】
【特許文献１】特開２００４−３８５２号公報
【特許文献２】特開２００８−３２２８８号公報
【発明の概要】
【発明が解決しようとする課題】
【０００６】
上述した技術では制御プログラムの内容を作業者や居住者が調整できるが、どのような調整をすればよいのかは人の勘に頼らざるを得ない面があるため、居住者の快適性や省エネ性を考慮した最適な調整を行うことは困難であった。
【０００７】
本発明は、上記実情に鑑みてなされたものであり、人手を介さずに、好適に設備の運転を制御することができる設備制御装置、及び、プログラムを提供することを目的とする。
【課題を解決するための手段】
【０００８】
上記目的を達成するため、本発明に係る設備制御装置は、ネットワークを介して、所定エリアに設置されている設備及び前記所定エリア内の環境を測定するセンサと通信可能に接続される設備制御装置であって、前記設備を制御するための制御ルールを記憶する制御ルール記憶手段と、前記制御ルール記憶手段に記憶されている制御ルールに基づいて、前記ネットワークを介して前記設備を制御する制御手段と、前記ネットワークを介して、前記設備の状態を示す情報と前記センサが出力した情報とを取得する状況取得手段と、前記状況取得手段が取得した情報と現在日時情報とを対応付けて蓄積記憶する状況記憶手段と、前記所定エリア内の目標となる環境を示す目標環境情報を記憶する目標記憶手段と、前記状況記憶手段に蓄積記憶されている情報から前記設備が前記所定エリア内の環境に与える影響を分析し、分析結果に基づいて、前記所定エリア内の環境が前記目標記憶手段に記憶されている目標環境情報が示す目標環境に近づくように、前記制御ルール記憶手段に記憶されている制御ルールを調整する制御ルール調整手段と、を備えることを特徴とする。
【発明の効果】
【０００９】
本発明によれば、現在状況と目標状況とを比較し、目標達成可能になるように制御ルールを調整する。従って、人手を介さずに、好適に設備の運転を制御することができる。
【図面の簡単な説明】
【００１０】
【図１】本発明の実施形態に係る設備制御装置及びその周辺の構成を示す図である。
【図２】本発明の実施形態に係る設備制御装置の構成を示すブロック図である。
【図３】状況記憶部に記憶されている情報の具体例を示す図である。
【図４】通常運転処理の手順を示すフローチャートである。
【図５】自動ルール調整処理の手順を示すフローチャートである。
【図６】図６（Ａ）は運転スケジュールの例を示した図であり、図６（Ｂ）はこの運転スケジュールで運転された場合の温度変化を示したグラフである。
【図７】図７（Ａ）は運転スケジュールの例を示した図であり、図７（Ｂ）はこの運転スケジュールで運転された場合の温度変化を示したグラフである。
【図８】空調機の出力と運転効率との関係を示したグラフである。
【発明を実施するための形態】
【００１１】
以下、本発明の実施形態について、図面を参照しながら詳細に説明する。なお、本発明は下記の実施形態及び図面によって限定されるものではない。本発明の要旨を変更しない範囲で下記の実施形態及び図面に変更を加えることが出来るのはもちろんである。また、図中同一または相当部分には同一符号を付す。
【００１２】
（設備制御装置１０の構成）
本発明の実施形態に係る設備制御装置１０は、例えば、図１に示すように、ＬＡＮ（Local Area Network）規格に準拠したネットワークＮを介して、オフィスエリア１内の各エリア（エリア１Ａ〜１Ｄ）にそれぞれ配置された設備（本実施形態では、空調機２Ａ〜２Ｄ）と通信可能に接続する。さらに、設備制御装置１０は、ネットワークＮを介して、空調機２Ａ〜２Ｄの近傍にそれぞれ配置され、エリア１Ａ〜１Ｄの温度や湿度等を検出するセンサ３Ａ〜３Ｄと、オフィスエリア１のほぼ中央に配置されてオフィスエリア１全体の温度や湿度等を検出するセンサ３ＩＮと、外に配置されて外気の温度や湿度等を検出するセンサ３ＯＵＴと、空調機２Ａ〜２Ｄで消費される電力を個別に計測可能な電力計測センサ４と、通信可能に接続する。なお、ネットワークＮは、有線であっても無線であってもよい。設備制御装置１０は、例えば、オフィスの空調管理ルーム、あるいは、その近傍に設置される。
【００１３】
設備制御装置１０は、物理的には、ＣＰＵ（Central Processing Unit）、動作プログラムを記憶するＲＯＭ（Read Only Memory）、記憶領域となるＲＡＭ（Random Access Memory）、居住者が操作するためのユーザインターフェース、および、ネットワークＮに接続するための通信インターフェース等を備えて構成されるサーバ等のコンピュータである。
【００１４】
設備制御装置１０は、機能的には、図２に示すように、空調情報記憶部１０１と、システム通信部１０２と、計時部１０３と、状況取得部１０４と、状況記憶部１０５と、ルール設定操作部１０６と、制御ルール記憶部１０７と、目標記憶部１０８と、空調機制御部１０９と、制御ルール調整部１１０とを備える。
【００１５】
空調情報記憶部１０１は、空調情報を記憶する。空調情報は、各空調機２の動作状態（運転／停止、設定温度、設定湿度、風速、風向等）や各センサ３の測定結果（温度、湿度等）や電力計測センサ４の測定結果（各空調機２の消費電力）を含む情報である。空調情報記憶部１０１は、各空調機２及び各センサ３に対応して予め割り当てた所定のメモリ領域に、各空調機２の動作状態や消費電力及び各センサ３の検出結果をそれぞれ記憶する。さらに、空調情報記憶部１０１は、各空調機２において、動作状態の種別（運転／停止、設定温度、風速、風向等）毎に記憶するメモリ領域を定めていてもよい。
【００１６】
なお、各空調機２には、空調機２を一意に識別するための空調機番号が割り当てられている。同様に各センサ３には、センサ３を一意に識別するためのセンサ番号が割り当てられている。空調情報記憶部１０１には、空調機２と該空調機２の近傍に設置されているセンサ３との対応関係を示す情報（空調機番号とセンサ番号とが対応付けられた情報）も記憶されている。
【００１７】
システム通信部１０２は、空調機２が接続されているネットワークＮに接続するためのインターフェースを備える。システム通信部１０２は、ネットワークＮを介して各空調機２の動作状態を示す情報や、センサ３および電力計測センサ４から出力された検出値（温度、湿度、消費電力等）を受信し、空調情報記憶部１０１の内容を更新する。また、システム通信部１０２は、空調情報記憶部１０１に記憶されている情報の変更に基づいて空調機２を制御するための制御信号を生成し、ネットワークＮを介して空調機２に送信する。
【００１８】
計時部１０３は、例えばソフトウェアタイマ等から構成され、現在時刻を取得する。
【００１９】
状況取得部１０４は、ネットワークＮとシステム通信部１０２とを介して、各空調機２の動作状態を示す情報や、各センサ３や電力計測センサ４が出力した計測値（温度、湿度、電力等）を示す情報を取得する。そして、状況取得部１０４は、取得した情報を計時部１０３が経時した現在時刻と対応付けて状況記憶部１０５に蓄積記憶させる。
【００２０】
状況記憶部１０５は、各空調機２に関する情報（動作状態や消費電力）や各センサ３が計測した結果（温度や湿度等）を現在時刻と対応付けて蓄積記憶する。
【００２１】
状況記憶部１０５に蓄積記憶されている情報の具体例を図３に示す。図３（Ａ）は、状況記憶部１０５に蓄積記憶されている情報の一例であり、２０１０年Ｘ月Ｘ日の１０：００の空調機２の状態に関する情報を示したものである。空調機２毎に、空調機番号と運転種別と風速と消費電力と設定温度と設定湿度とが対応付けられて状況記憶部１０５に記憶されている。なお、空調機番号は、空調機２Ａ〜２Ｄそれぞれを識別するためのＩＤである。
【００２２】
また、図３（Ｂ）は、状況記憶部１０５に記憶されている２０１０年Ｘ月Ｘ日の１０：００にセンサ３が計測した値を記録したものである。センサ３毎に、センサ番号と計測値（温度、湿度、等）とが対応付けられて状況記憶部１０５に記録される。なお、センサ番号は、センサ３Ａ〜３Ｄ，３ＩＮ，３ＯＵＴそれぞれを識別するためのＩＤである。
【００２３】
図２に戻り、ルール設定操作部１０６は、ユーザから制御ルール記憶部１０７の内容を変更する操作を受け付け、操作内容に応じて制御ルール記憶部１０７の内容を変更する。ルール設定操作部１０６は、ユーザ（居住者）が、手動で空調機２の内容を操作するためのユーザインターフェースである。
【００２４】
制御ルール記憶部１０７は、空調機２を自動的に制御するための制御ルール（運転スケジュールや運転条件等）を記憶する。例えば、制御ルール記憶部１０７は、各空調機２Ａ〜２Ｄそれぞれの運転開始時刻、運転終了時刻、および、運転中に所定エリア内を一定に保つべき温度（設定温度）や湿度（設定湿度）等を記憶する。なお、制御ルール記憶部１０７に記憶されている情報はルール設定操作部１０６によって設定されたものに限らず、予め記憶されている情報でもよい。
【００２５】
目標記憶部１０８は、オフィスルーム１内の目標となる環境を示す目標環境情報を記憶する。例えば、目標記憶部１０８は、空調機２毎に、制御ルール記憶部１０７に記憶されているスケジュールに従って空調機２が運転された場合の理想的な温度の変化を示す情報を目標環境情報として記憶する。より具体的には、例えば、午前８時から午後８時の間設定温度２５℃で空調機２Ａを運転することを示す運転スケジュールが制御ルール記憶部１０７に記憶されている場合、目標記憶部１０８には午前８時から午後８時の間、空調機２Ａに対応するセンサ３Ａの検出する温度を２５℃に保持する温度変化を示す目標環境情報が記憶される。
【００２６】
空調機制御部１０９は、制御ルール記憶部１０７の内容に基づいて各空調機２を制御する制御内容を決定し、空調情報記憶部１０１の内容を変更する。空調機制御部１０９が制御ルール記憶部１０７の内容を変更することで、空調機２は自動的に制御される。
【００２７】
制御ルール調整部１１０は、状況記憶部１０５と目標記憶部１０８とに記憶されている情報に基づいて、制御ルール記憶部１０７に記憶されている制御ルール（運転スケジュールや条件等）を調整する。制御ルール調整部１１０の行う処理の詳細については後述する。
【００２８】
（設備制御装置１０の動作）
続いて、設備制御装置１０の動作について説明する。設備制御装置１０によって行われる処理は、通常運転処理と自動ルール調整処理との２つの処理に大別される。なお、通常運転処理と自動ルール調整処理とを規定する動作プログラムは設備制御装置１０のＲＯＭに格納されており、ＣＰＵがこの動作プログラムを読み込みことにより実行される。
【００２９】
（通常運転処理）
通常運転処理は、設備制御装置１０が通常稼動時に実施する処理である。
【００３０】
図４は、通常運転処理の詳細を示すフローチャートである。空調機制御部１０９は、定期的に制御ルール記憶部１０７に記憶されている情報を参照して空調情報を変更する必要があるか否かを判断する（ステップＳ１０１）。例えば、空調機制御部１０９は、現在時刻が制御ルール記憶部１０７に記憶されている空調機２の運転開始時刻又は運転終了時刻であると判断した場合に空調情報を変更する必要があると判断する。
【００３１】
変更する必要があると判断した場合（ステップＳ１０１；Ｙｅｓ）、空調機制御部１０９は、制御ルール記憶部１０７に記憶されている情報に基づいて空調情報記憶部１０１に記憶されている空調情報を変更する（ステップＳ１０２）。例えば、空調機制御部１０９は、運転開始時刻に、空調情報記憶部１０１に記憶されていの空調情報の運転状態を運転中に更新する。
【００３２】
続いて、ステップＳ１０２の処理による空調情報の変更に応答して、システム通信部１０２は、対応する空調機２を制御するための制御信号を作成し、ネットワークＮを介して送信する（ステップＳ１０３）。例えば、空調情報の運転状態が運転中に更新された場合、システム通信部１０２は、空調機２を起動させることを指示する制御信号を作成して送信する。以上で通常運転処理は終了する。
【００３３】
このように、通常運転処理により、設備制御装置１０は、制御ルールに基づいて、ネットワークＮに接続されている空調機２を制御することが可能になる。
【００３４】
（自動ルール調整処理）
続いて、自動ルール調整処理の詳細について説明する。
所定時間（例えば２４時間）毎、又は、ユーザからの処理開始の指示操作に応答して、制御ルール調整部１１０は、図５に示す自動ルール調整処理を実行する。
【００３５】
まず、制御ルール調整部１１０は、状況記憶部１０５に記憶されている情報（各空調機２に関する情報や各センサ３や電力計測センサ４の計測結果）を入力にした学習処理や傾向分析処理等を行うことにより、空調機２がオフィスルーム１内の環境に与える影響を分析する（ステップＳ２０１）。そして、制御ルール調整部１１０は、分析結果に基づいて、目標記憶部１０８に記憶されている目標環境情報が示す目標を達成可能な制御ルール（運転スケジュールや運転条件等）を予想する（ステップＳ２０２）。
【００３６】
続いて、制御ルール調整部１１０は、予想した制御ルールで空調機２を運転した場合に、目標を達成するか否かを判別する（ステップＳ２０３）。
【００３７】
目標を達成しないと判別した場合（ステップＳ２０３；Ｎｏ）、制御ルール調整部１１０は、再度目標達成可能なルールを予想し（ステップＳ２０２）、目標を達成するか否かを判別する処理を繰り返す（ステップＳ２０３）。
【００３８】
目標を達成すると判別した場合（ステップＳ２０３；Ｙｅｓ）、制御ルール調整部１１０は、制御ルール記憶部１０７に記憶されている制御ルールを、予想した制御ルールに調整（変更）する（ステップＳ２０４）。以上で自動ルール調整処理は終了する。
【００３９】
このように、自動ルール調整処理により、オフィスルーム１内の環境が目標を達成する環境になるように、制御ルール記憶部１０７に記憶されている制御ルールが人手を介さないで調整される。そして、その後、通常運転処理により、調整（変更）された制御ルールに基づいて作成された制御信号が空調機２に送信され、空調機２は適切に制御される。
【００４０】
また、その後、季節の変化やオフィスエリア１内の状態（使用人数、家具の配置等）の変化により、この調整されたルールに基づいた運転をしても目標が達成されなくなった場合には、再度同様の自動ルール調整処理を行うことで制御ルールは調整され、人手を介さないで空調機２を適切に制御し続けることが可能となる。
【００４１】
（自動ルール調整処理の具体例１：空調機２の運転スケジュール調整）
続いて、具体例を挙げて自動ルール調整処理について説明する。
なお、前提として、図６（Ａ）に示すような運転スケジュールが制御ルール記憶部１０７に記憶されているものとする。即ち、制御ルール記憶部１０７には、空調機番号１に対応する空調機２の運転を８時に開始し、運転中は周辺エリアの温度を２５℃に保つように運転し、２０時に運転を停止させる運転スケジュールが登録されている。また、目標記憶部１０８には、この運転スケジュールに対応した目標、即ち、８時から２０時までの間この空調機２の周辺エリアの温度を２５℃に保ち、省エネを考慮してそれ以外の時間は設定温度を無駄に保たないようにするという理想的な温度変化を示す目標環境情報が目標記憶部１０８に登録されているものとする。
【００４２】
そして、その後、通常運転処理により、この運転スケジュールに沿って空調機２の運転は制御される。またその間、状況取得部１０４は、定期的に、この空調機２の運転状態や各センサ３や電力計測センサ４の計測結果を示す情報を取得し、日時情報と対応付けて状況記憶部１０５に蓄積記憶させている。
【００４３】
このような場合において、ユーザが図示せぬ操作部等を操作して、空調機番号１に対応する空調機２の運転スケジュールを対象にしたルール調整処理の開始を指示し、ルール調整処理が実行された場合を考える。
【００４４】
ルール調整処理が実行されると、まず、制御ルール調整部１１０は、状況記憶部１０５に記憶されているデータを分析して、空調機番号１に対応する空調機２の近傍に配置されているセンサ３が計測した直近日における温度変化を表す図６（Ｂ）に示すようなデータ（時刻情報と温度情報との組からなるデータの集合）を現在状況として取得する。
【００４５】
図６（Ｂ）より、８時に運転を開始してから室温が設定温度に達するまでには２０分の時間が必要であることがわかる。従って、制御ルール調整部１１０は、８時から周辺エリアを２５℃に保つという目標を達成するには、運転開始時刻を７時４０分にすればよいと予想する。また、図６（Ｂ）より、２０時に運転を停止してから２０分間は設定温度が保持されることがわかる。従って、制御ルール調整部１１０は、８時から２０時以外の時間は室温を無駄に設定温度に保たないようにするという目標を達成するには、運転停止時刻を１９時４０分にすればよいと予想する。従って、制御ルール調整部１１０は、目標を達成する運転スケジュールとして、運転開始時刻を７時４０分にし、運転停止時刻１９時４０分にすればよいと予想する。
【００４６】
続いて、制御ルール調整部１１０は、公知のシミュレーションツールなどを用いて、運転開始時刻を７時４０分、運転停止時刻１９時４０分にして空調機番号１に対応する空調機２を運転した場合の一日の温度変化は図７（Ｂ）に示すようになると推測する。従って、制御ルール調整部１１０は、８時から２０時までの間、空調機２の周辺エリアの温度を２５℃に保ち、それ以外の時間は設定温度を無駄に保たないようにするという目標を達成すると判断する。従って、制御ルール調整部１１０は、図７（Ａ）に示すように、制御ルール記憶部１０７に記憶されている空調機番号１に対応する空調機２の運転開始時刻を７時４０分、運転停止時刻を１９時４０分に調整（変更）する。以上で自動ルール調整処理は終了する。以下、通常運転処理により、この変更されたスケジュールに沿って空調機２の運転が制御されることとなる。
【００４７】
このように、自動ルール調整処理により、居住者の快適性や省エネ化を考慮した最適な運転スケジュール（運転開始時刻、運転停止時刻）になるように、空調機２（設備）の制御ルール（運転スケジュール）が自動的に調整される。
【００４８】
なお、上記の例では運転スケジュールを予想する際に、直近日の温度変化から運転開始時刻と運転停止時刻とを予想したが以下のようにして運転スケジュールを予想してもよい。
【００４９】
まず、制御ルール調整部１１０は、直近日から所定日数分（例えば、一ヶ月分）の一日の温度変化を示す情報と空調機２に関する情報とをサンプルとして状況記憶部１０５から抽出する。そして、制御ルール調整部１１０は、この所定日数分の温度変化から、空調機２を運転させた場合に温度を１℃上昇させるのに要する時間の平均と、空調機２を停止させてから温度が維持される時間の平均とを算出する。そして、制御ルール調整部１１０は、これらの算出した時間に基づいて、目標記憶部１０８に記憶されている理想的な温度変化になるように運転開始時刻と運転停止時刻とを予想してもよい。なお、サンプルとして状況記憶部１０５から抽出する情報としては、前年同時期の所定日数分の温度変化を示す情報であってもよい。
【００５０】
（自動ルール調整処理の具体例２：空調機の最適出力調整）
続いて、各空調機２の出力を調整する自動ルール調整処理の詳細について説明する。なお、制御ルール記憶部１０７には、オフィスエリア１全体の温度を２５℃に保って運転することを示す制御ルール（条件）が記憶されているものとする。また、目標記憶部１０８には、各空調機２の消費電力の総量を最小にすることを示す目標環境情報が記憶されているものとする。
【００５１】
このような場合において、ユーザが図示せぬ操作部等を操作して、空調機２の出力を調整するルール調整処理の開始を指示してルール調整処理が実行された場合を考える。
【００５２】
自動ルール調整処理が開始されると、まず、制御ルール調整部１１０は、状況記憶部１０５に蓄積記憶されている情報に基づいて、図８に示すような各空調機２の消費電力と運転効率との関係を示す曲線（運転効率曲線）を規定する情報を作成する。例えば、図８に示すグラフより、運転効率曲線Ｓ１に対応する空調機２は、運転効率曲線Ｓ２に対応する空調機２よりも低出力運転時の効率は良いが、高出力運転時の効率は悪いことがわかる。なお、図８では２本の運転効率曲線Ｓ１，Ｓ２のみを示しているが、実際には空調機２の数だけ運転効率曲線を規定する情報を作成する。なお、運転効率は、例えば、以下に示す式から算出すればよい。
運転効率＝空調能力／消費電力
ここで、上式の空調能力は外気温度と室内の温度との温度差とすればよく、センサ３の検出結果から算出すればよい。
【００５３】
より具体的に、例えば、空調機２Ａの運転効率を求める場合には、以下の式で算出可能である。
空調機２Ａの運転効率＝｜センサ３ＯＵＴの検出温度−センサ３Ａの検出温度｜／電力計測センサ４が計測した空調機２Ａの消費電力
従って、状況記憶部１０５に記憶されている情報に基づいて複数時点での運転効率を算出していくことで、各空調機２の運転効率曲線を求めることができる。
【００５４】
続いて、制御ルール調整部１１０は、このようにして求めた各空調機２の運転効率曲線を参照して、オフィスエリア１内の温度が設定温度２５℃を満たし、且つ、空調機２全体での消費電力が最小となる各空調機２の出力を求める。
例えば、オフィスエリア１内の温度（センサ３ＩＮの測定温度）が設定温度２５℃に近い温度（例えば２３℃）で有る場合、制御ルール調整部１１０は、運転効率曲線を参照して、低出力時に運転効率の最も高い空調機２の出力を他の空調機よりも高くし、他の空調機２の出力を低くすればよい。また、オフィスエリア１内の温度（センサ３ＩＮの測定温度）が設定温度２５℃から離れている温度（例えば１２℃）で有る場合、制御ルール調整部１１０は、運転効率曲線を参照して、高出力時に運転効率の最も高い空調機２の出力を他の空調機２よりも高くし、他の空調機２の出力は低くすればよい。
また、制御ルール調整部１１０は、各空調機２の運転効率曲線を参照して、設定温度２５℃を満たす各空調機２の出力の組み合わせを複数求め、求めた組み合わせのうち、各空調機２全体の消費電力が最小のものを選択することで、各空調機２の出力を求めてもよい。
【００５５】
そして、制御ルール調整部１１０は、このようにして求めた出力で各空調機２を運転するように、制御ルール記憶部１０７に記憶されている制御ルールを更新する。以上で自動ルール調整処理は終了する。以下、通常運転処理により、この変更された出力（設定温度）で、各空調機２の運転は制御される。
【００５６】
このように、自動ルール調整処理により、居住者の快適性や省エネ化を考慮した最適な出力（消費電力）になるように、空調機２（設備）の制御ルール（設定温度）が調整される。
【００５７】
以上説明したように、本実施形態の設備制御装置１０は、オフィスエリア１内に配置された複数の空調機２、センサ３、および電力計測センサ４と通信可能に接続される。そして、設備制御装置１０は、空調機２の状態を示す情報とセンサ３や電力計測センサ４の計測結果の履歴に基づいて、空調機２がオフィスエリア１内の環境に与える影響を分析し、その分析結果に基づいて、オフィスエリア１内の環境が目標環境に近づくように既存の運転ルールを調整する。従って、人手を介さずに、好適に設備（空調機２）の運転を制御することが可能となる。
【００５８】
なお、本発明は、上記実施形態に限定されず、本発明の要旨を逸脱しない範囲での種々の変更は勿論可能である。
【００５９】
例えば、本発明に係る設備制御装置１０が制御対象とする設備は、空調機２に限定されず、換気装置、照明装置、自動制御可能なブラインドやダクトを開閉するアクチュエータ等であってもよい。また、設備をオフィスエリア１内に複数配置されている照明装置とした場合、各センサ３でオフィスルーム１の照度を計測し、オフィスルーム１を最適な明るさにするのに最も省電力となる照明装置の出力を求め、制御ルールを調整してもよい。
【００６０】
また、本発明に係る設備制御装置１０と接続し、検出結果を通知するセンサの種類に限定はなく、温度センサ、湿度センサの他、照度センサ、赤外線センサ、二酸化炭素センサ等であってもよい。
【００６１】
また、例えば、本発明に係る設備制御装置の動作を規定する動作プログラムを既存のパーソナルコンピュータや情報端末機器等に適用することで、当該パーソナルコンピュータ等を本発明に係る設備制御装置として機能させることも可能である。
【００６２】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【産業上の利用可能性】
【００６３】
本発明は、店舗やオフィスビルなどの建物内に設置される空調機等の設備を制御する装置として好適に採用され得る。
【符号の説明】
【００６４】
１０    設備制御装置
１０１  空調情報記憶部
１０２  システム通信部
１０３  計時部
１０４  状況取得部
１０５  状況記憶部
１０６  ルール設定操作部
１０７  制御ルール記憶部
１０８  目標記憶部
１０９  空調機制御部
１１０  制御ルール調整部
２      空調機
３      センサ
４      電力計測センサ
Ｎ      ネットワーク
【図１】
2011247514.tif 000003
【図２】
2011247514.tif 000004
【図３】
2011247514.tif 000005
【図４】
2011247514.tif 000006
【図５】
2011247514.tif 000007
【図６】
2011247514.tif 000008
【図７】
2011247514.tif 000009
【図８】
2011247514.tif 000010